(57)【要約】      （修正有）【課題】繭糸の糸繰りとその生糸の撚糸が同時におこなえ、撚糸機械不要で生糸加工の省力化が図られる生糸用自動繰糸機械の提供。【解決手段】繰解部から接緒器によって接緒された煮熟繭から引出した繭糸の集束した糸条を樹脂製ガイドワイヤー２１によって接緒管内と集緒器１４の穴を誘導してからスピンドル６管内を誘導し、管に固定してあるフライヤー５に集束した繭糸を引掛け、糸条にケンネル掛け１２を与えた後、繊度感知器ゲージ１０の糸道へと案内し、小枠１を回転して巻き取る。【選択図】図３
2004183187.tif 000002
【特許請求の範囲】
【請求項１】
生糸の自動繰糸機機構内の繰解部における繭から生糸として小枠に巻き取られる工程中で多粒繭の繭糸に撚糸を付与する装置並びに繭糸条に他繊維糸をカバーングするための加撚糸装置で、付与する位置としては、集緒器上部又は小枠に生糸が巻き取られる直前とする。
【請求項２】
本加撚糸装置を使った繭糸と他繊維との複合カバーング加撚糸生糸の製法
【請求項３】
本加撚糸装置から作り出された撚糸生糸並びに他繊維との複合カバーング加撚糸生糸によって製作される編物、織物衣料製品を含む。
【発明の詳細な説明】
【０００１】
【産業上の利用分野】本発明は、繭から生糸の衣料材料として使用される編糸、織糸を製造するための加撚糸生糸の装置であり、呉服産業に限らず、カジュアル衣料などのアパレル繊維産業に大いに寄与できる。
【０００２】
【従来の技術】現在使用されている繭から生糸を繰る自動繰糸機の機構は、数粒繭の繭糸を引揃えて挽き上げ、小枠に巻き取る機構となっており、一般に生糸の太さは各２１，２７、３２デニールとなっており、繰糸工程途中に生糸の太さを調節する感知器ゲージを配置して太さを制御している構造となっている。そしてまた、他繊維と（化学繊維のフイラメント糸他）の複合場合は、繭糸をからめた複合糸で通称ハイブリッド生糸といわれている。その製法は空気交絡式といって他繊維に繭糸をエアジェットの力でからめる方式がとられており（特許公開：昭和６２−１９１５０４、昭和６３−６０１４１）、こうして作られた生糸は、後で織物等の製品化をおこなう場合生糸に撚糸を付与する単独の撚糸機械が必要となる。また、一部には羽二重、絵絹などの生糸のまま製織した織物生地もある。
【０００３】
【発明が解決しようとする課題】そこで、従来の撚糸機によって単独に生糸に合撚糸する工程を生糸の自動繰糸機の繰糸機構内（糸道）に加撚糸装置を組み込むことによって繭糸の糸繰りとその生糸の撚糸が同時におこなえる画期的手段であり、しかも撚糸機械不要で生糸加工の省力化が大いに図られる。
【０００４】
【課題を解決するための手段】本発明の加撚糸装置は、従来の単独で生糸に撚糸する工程を省力化する手段であり、しかも他繊維（化学合成繊維糸、レーヨン糸、ウール糸、紙糸など）と繭糸を同時に混ぜて繰糸することも可能である。なお、前記の空気交絡式ハイブリット生糸加工装置の短所は、ノズル内での空気エアジェットの圧力調整が難しく他繊維とが分離しやすく、また、繰糸中にノズル内がセリシン（繭糸の周囲のニカワ質）で目詰まり状態になり、糸が切断する故障の要因にもなつていた。また、このような空気交絡式ハイブリッド生糸加工装置は、数種類の他繊維糸を同時に混繰糸することは不可能である。
【０００５】
【実施例】図１の自動繰糸機の繰糸機構内の糸道に加撚するため、ダブルツウイスター部品（紡績用高速撚糸機械の付属品）のスピンドル部分を改造し、集緒器上部に組み込む。そして、繰解部から接緒器によって接緒された煮熟繭から引出した繭糸の集束した糸条を樹脂製ガイドワイヤーによって接緒管内と集緒器の穴を誘導してからスピンドル管内を誘導し、管に固定してあるフライヤーに集束した繭糸を引掛け、そして、糸条にケンネル掛けを与えた後、繊度感知器ゲージの糸道へと案内し、小枠を回転し、巻き取る方法である（図１、図３）。なおスピンドル下部の管内には、スプリングの入った金属カプセルがあり、その下部入り口には樹脂製のボルトが締め込まれていて、きつくそのカプセルを締め込むと集束した繭糸を押さえつけるので瞬間的に糸状が制止したことになり、益々糸に撚糸が付与される構造の装置である。その詳細については、自動繰糸機（図１）を利用した生糸の加撚糸装置は、接緒器駆動装置（図２）の大プーリー（口径１６５ｍ／ｍ）、小プーリー（口径７５ｍ／ｍ）とも毎分３５０回から１４００回まで回転を調整することで、その口径比よりスビンドルのフライヤーを４．７倍速く回転させることができ（１６４５回／分）、生糸の繰糸速度５０〜６０ｍ／分で糸繰りした場合、１ｍ当たり３０回から１００回までの甘い撚り並びにカバーリング回数が加えられる。因みに接緒器のインペラの回転数は、その口径比（小プーリー７５ｍ／ｍ／接緒器管２０ｍ／ｍ）より毎分１３１２回である。このような繰糸条件で糸繰りした加撚糸生糸は、拡大顕微鏡で撮影したところ、撚り（図４）が掛かっているのが観察された。また生糸特有のラウジネス（繭糸の裂け糸などによる毛羽たち）の発生は観察されなかった。加撚糸生糸の太さは、繭粒付の調整だけで細い糸から太い糸まで可能であり、今回観察した生糸は１００デニールとした。
【０００６】
【実施例】他繊維（化学合成繊維糸、レーヨン糸、ウール糸、紙糸など）と繭糸による複合糸のハイブリッド生糸の加工の場合は、前記同様の方法でおこなうが、他繊維の糸を誘導する場合は、給糸管内を通して接緒器下へ誘導し、繭糸の集束した糸条と混繰して挽きあげた後、前記の方法で小枠を回転し巻き取る。なお、他繊維糸を給糸管内へ送り込む場合、張力が掛かるので糸の強度などが不足していると糸の切断故障となり、それを防止するために電気モーターを使ってボビン（紙管コーン）に巻かれている他繊維糸を回転させて送り込む装置とした（図２、図３）。このような繰糸条件で糸繰りした加撚糸複合生糸は、拡大顕微鏡で撮影したところ、撚りが掛かっているのが観察された（図５）。なお繭糸の集束した糸条の生糸に他繊維糸をカバーリングする場合は、フライヤーに他繊維糸を引っかけて、生糸はかけない方法でスピンドルフライヤーを回転させることで複合カバーリング糸を小枠へ巻き取ることができた。また逆に他繊維糸をフライヤーに引っかけずに、生糸をフライヤーに掛けてカバーリング糸を巻き取ることもできた。その複合加撚糸の拡大顕微鏡で撮影したところ、カバーリングが掛かっているのが観察された（図６）。
【０００７】
【実施例】
通常のケンネル掛けのみの繰糸方法で２緒の生糸を本発明の加撚糸装置のスピンドルを通過させるか又は小枠に生糸を巻き取る直前に据え付けて合糸し、撚糸することができた。加撚糸装置の駆動には電気モーターからプーリーベルトを使ってスピンドルプーリーに伝達してフライヤーに引っかけて高速回転することで２緒の生糸の合糸撚糸は可能であった。
【０００８】
【発明の効果】従来の撚糸機によって単独に生糸に合撚糸する工程を生糸の自動繰糸機の繰糸機構内（糸道）に、本発明の加撚糸装置を組み込むことによって繭糸の糸繰りとその生糸の撚糸が同時におこなえる画期的手段であり、生糸加工の省力化が大いに図られる。また、本発明の加撚糸装置は、繭粒付の接緒器下へ幾種類の他繊維を給糸管を通して誘導して混繰糸することで、複合糸生糸の加工が可能となる。しかも他繊維とが複合した合撚生糸となる画期的な差別化した特長のある生糸であり、また生糸特有のラウジネスなどの欠点がないため高級生糸として扱われ、衣料品の中で呉服分野に限らず、洋装分野、特にアパレル繊維製品での高級衣料品での衣料材料の１つとして認められる。また、未来の消費者が期待する販売店舗において直ぐ着られる、身につけられるような個性観が得られるシームレス（縫い目なし）ニット製品の材料として注目される。
【０００９】
【図面の簡単な説明】
【図１】生糸用自動繰糸機械
【符号の説明】１小枠  ２小枠ハンドル  ３糸案内  ４感知器  ５鼓車
６切断防止金具  ７鼓車  ８接緒器駆動ハンドル  ９接緒器駆動装置  １０鼓車
１１集緒器  １２ベルト  １３接緒桿  １４接緒器インペラ  １５粒付計
１６屑物入  １７緒糸掛け  １８振動板  １９取出フォーク  ２０抄緒器
２１給繭機駆動クラッチハンドル  ２２給繭機駆動クラッチレバー
２３繰解部給湯コツク  ２４抄緒部給水コツク  ２５乾糸パイプ  ２６鼓車
２７鼓車  ２８接緒計数器  ２９落繭捕集クラッチハンドル
３０繊度検索ハンドル  ３１落繭捕集バスケット  ３２索緒機  ３３分離格子
３４繰解部  ３５繭補充部  ３６緒糸掛け櫛  ３７索緒部給蒸バルブ
３８繰解部給蒸バルブ  ３９索緒部  ４０分離部給水コツク
４１索緒部給水コツク  ４２蛹収容箱
【００１０】
【図２】生糸の加撚糸装置
【符号の説明】１大プーリー  ２小プーリー  ３接緒器駆動装置
４フライヤー  ５スピンドルプーリー  ６伝導ベルト  ７スピンドル  ８ステイ
９接緒器インペラ  １０フレーム  １１少々プーリー  １２集緒器
１３小型電気モーター  １４ボビン  １５給糸管  １６主軸固定
【００１１】
【図３】加撚糸生糸の糸道の動作系統
【符号の説明】１小枠  ２切断防止器  ３回転爪車  ４ロッド
５フライヤー  ６スピンドル  ７ブレーキ止具  ８絡交  ９鼓車
１０繊度感知器ゲージ  １１感知器レバー  １２ケンネル掛け
１３プーリーと伝達ベルト  １４集緒器  １５接緒器インペラ  １６粒付繭
１７給糸管  １８他繊維糸  １９小型電気モーター  ２０スプリングカプセル
２１樹脂製ガイドワイヤー
【００１２】
【図４】集束した繭糸条の加撚糸生糸の撚糸形態
【符号の説明】１集束した繭糸条の加撚糸生糸
【００１３】
【図５】加撚糸生糸と他繊維糸の形態
【符号の説明】１加撚糸生糸  ２他繊維糸
【００１４】
【図６】加撚糸生糸を芯に他繊維糸のカバーリング複合糸の形態
【符号の説明】１加撚糸生糸を芯  ２他繊維糸のカバーリング複合糸
【図１】
2004183187.tif 000003
【図２】
2004183187.tif 000004
【図３】
2004183187.tif 000005
【図４】
2004183187.tif 000006
【図５】
2004183187.tif 000007
【図６】
2004183187.tif 000008